【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局する中央セグメント選局部と、
前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定する記述子判定部と、
前記連結送信記述子が取得された場合、前記物理チャンネル内の中央セグメント以外のセグメントを順次選局する他セグメント選局部と、
前記選局された各セグメントのトランスポートストリームに含まれる選局情報を取得して選局テーブルを作成する選局テーブル作成部と
を備える放送波受信装置。
【請求項２】
前記放送波は、地上波デジタル放送の放送波であり、
前記記述子判定部は、
前記中央セグメントにおいて放送されるトランスポートストリームに含まれるＮＩＴ（Network Information Table）を取得し、
前記ＮＩＴに前記連結送信記述子が含まれているか否かを判定することで、前記連結送信記述子が取得されたか否かを判定する
請求項１に記載の放送波受信装置。
【請求項３】
前記放送波は、地上波デジタル放送の放送波であり、
前記記述子判定部は、
前記中央セグメントにおいて放送されるトランスポートストリームに含まれるＮＩＴ actualを取得し、
前記ＮＩＴ actualに前記連結送信記述子が含まれているか否かを判定することで、前記連結送信記述子が取得されたか否かを判定し、
前記他セグメント選局部は、
前記中央セグメントにおいて放送されるトランスポートストリームに含まれるＮＩＴ otherを取得し、
前記ＮＩＴ otherに記述された情報に基づいて、前記中央セグメント以外のセグメントのセグメント位置を特定して選局する
請求項１に記載の放送波受信装置。
【請求項４】
前記他セグメント選局部は、
前記連結送信記述子の記述に基づいて、前記所定の物理チャンネルの中のセカンダリセグメントのセグメント位置を特定して前記セカンダリセグメントを選局し、
前記セカンダリセグメントにおいて放送されるトランスポートストリームに含まれる情報に基づいて、前記中央セグメント以外のセグメントのセグメント位置を特定して選局する
請求項１または請求項２に記載の放送波受信装置。
【請求項５】
前記他セグメント選局部は、
前記連結送信記述子に記述されたビットマップに基づいて、前記中央セグメント以外のセグメントのセグメント位置を特定して選局する
請求項１または請求項２に記載の放送波受信装置。
【請求項６】
中央セグメント選局部が、放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局し、
記述子判定部が、前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定し、
他セグメント選局部が、前記連結送信記述子が取得された場合、前記物理チャンネル内の中央セグメント以外のセグメントを順次選局し、
選局テーブル作成部が、前記選局された各セグメントのトランスポートストリームに含まれる選局情報を取得して選局テーブルを作成するステップ
を含む放送波受信方法。
【請求項７】
コンピュータを、
放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局する中央セグメント選局部と、
前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定する記述子判定部と、
前記連結送信記述子が取得された場合、前記物理チャンネル内の中央セグメント以外のセグメントを順次選局する他セグメント選局部と、
前記選局された各セグメントのトランスポートストリームに含まれる選局情報を取得して選局テーブルを作成する選局テーブル作成部とを備える放送波受信装置として機能させる
プログラム。
【請求項８】
請求項７に記載のプログラムが記録されている記録媒体。
【請求項９】
放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成する関連情報生成部と、
前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化する多重化部と、
前記多重化されて得られたトランスポートストリームを、前記中央セグメントの放送波として送信する送信部とを備え、
前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる
放送波送信装置。
【請求項１０】
前記放送波は、地上波デジタル放送の放送波であり、
前記関連情報生成部は、
前記中央セグメントにおいて放送されるトランスポートストリームに含まれるＮＩＴ（Network Information Table）の一部に記述される、前記所定の物理チャンネル内の複数のセグメントのＯＦＤＭ同期に係る情報が記述された連結送信記述子を、前記マルチセグメント放送が行われることを表す情報として生成する
請求項９に記載の放送波送信装置。
【請求項１１】
前記放送波は、地上波デジタル放送の放送波であり、
前記関連情報生成部は、
前記中央セグメントにおいて放送されるトランスポートストリームに含まれるＮＩＴ actualの一部に記述される、前記所定の物理チャンネル内の複数のセグメントのＯＦＤＭ同期に係る情報が記述された連結送信記述子を、前記マルチセグメント放送が行われることを表す情報として生成し、
前記中央セグメントにおいて放送されるトランスポートストリームに含まれるＮＩＴ otherに記述される情報として、前記所定の物理チャンネル内の中央セグメント以外のセグメントのセグメント位置を特定するための情報を生成する
請求項９に記載の放送波送信装置。
【請求項１２】
前記放送波は、地上波デジタル放送の放送波であり、
前記関連情報生成部は、
前記中央セグメントにおいて放送されるトランスポートストリームに含まれるＮＩＴの一部に記述される、前記所定の物理チャンネル内の複数のセグメントのＯＦＤＭ同期に係る情報が記述された連結送信記述子を、前記マルチセグメント放送が行われることを表す情報として生成し、
前記連結送信記述子に、前記所定の物理チャンネルの中のセカンダリセグメントのセグメント位置を特定する情報を記述し、
前記セカンダリセグメントにおいて放送されるトランスポートストリームに、前記所定の物理チャンネル内の中央セグメント以外のセグメントのセグメント位置を特定するための情報が含まれる
請求項９または請求項１０に記載の放送波送信装置。
【請求項１３】
前記放送波は、地上波デジタル放送の放送波であり、
前記関連情報生成部は、
前記中央セグメントにおいて放送されるトランスポートストリームに含まれるＮＩＴの一部に記述される、前記所定の物理チャンネル内の複数のセグメントのＯＦＤＭ同期に係る情報が記述された連結送信記述子を、前記マルチセグメント放送が行われることを表す情報として生成し、
前記連結送信記述子に記述されるビットマップを、前記所定の物理チャンネル内の中央セグメント以外のセグメントのセグメント位置を特定するための情報として生成する
請求項９または請求項１０に記載の放送波送信装置。
【請求項１４】
関連情報生成部が、放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成し、
多重化部が、前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化し、
送信部が、前記多重化されて得られたトランスポートストリームを、前記中央セグメントの放送波として送信しステップを含み、
前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる
放送波送信方法。
【請求項１５】
コンピュータを、
放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成する関連情報生成部と、
前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化する多重化部と、
前記多重化されて得られたトランスポートストリームを、前記中央セグメントの放送波として送信する送信部とを備え、
前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる放送波送信装置として機能させる
プログラム。
【請求項１６】
請求項１５に記載のプログラムが記録されている記録媒体。
【手続補正２】
【補正対象書類名】明細書
【補正対象項目名】０２０５
【補正方法】削除
【補正の内容】
【手続補正３】
【補正対象書類名】明細書
【補正対象項目名】０２０６
【補正方法】削除
【補正の内容】